(57)【特許請求の範囲】
【請求項１】
浴室壁面に固定される支持具と、この支持具に支持されて浴室壁面に取り付けられるカウンター本体とを備えてなる浴室用カウンターであって、上記の支持具が、後側が開放された枠状の本体部材と、上記の浴室壁面に固定される壁取付け用部材とで形成され、この壁取付け用部材の上下方向に延びる差込みスペースに上方から差込まれる差込み片が、上記の本体部材の上枠の開放状の後端部に垂下状に設けられていることを特徴とする浴室用カウンター。
【請求項２】
請求項１記載の浴室用カウンターであって、壁取付け用部材が、浴室壁面に当接する左右一対の板片状のベース部と、このベース部の間の凹溝状の段差部とで横断面が浅底の略皿形状に形成されていることを特徴とする浴室用カウンター。
【請求項３】
請求項１又は２記載の浴室用カウンターであって、壁取付け用部材の段差部の下部に、本体部材の下枠の開放状の後端部を接続するための接続部が設けられていることを特徴とする浴室用カウンター。
【請求項４】
請求項３記載の浴室用カウンターであって、接続部に、本体部材の下枠の開放状の後端部が嵌め付け可能に形成されていることを特徴とする浴室用カウンター。
【請求項５】
請求項４記載の浴室用カウンターであって、本体部材の下枠の開放状の後端部に、壁取付け用部材の段差部と対向する鍔状の嵌め込み片が設けられ、この嵌め込み片を上方から嵌め込むための隙間を段差部の前面と形作るよう、接続部が立ち上げ片状に形成され、この接続部が、本体部材の上記後端部の直近を両側から挟む状態に左右一対形成されていると共に、嵌め込み片が上記の隙間に嵌め込まれると、この嵌め込み片の抜脱を防止する嵌合手段を備えて形成されていることを特徴とする浴室用カウンター。
【請求項６】
請求項５記載の浴室用カウンターであって、接続部に、嵌め込み片との嵌合状態を解除するのに使用する手指操作部が形成されていることを特徴とする浴室用カウンター。
【請求項７】
請求項１乃至６の何れかに記載の浴室用カウンターであって、カウンター本体を受ける本体部材の上枠に、この上枠とカウンター本体とを連結するためのネジの締め込み部が、本体部材の前側上方にネジを上向きに傾斜させてネジ込み可能に形成されていることを特徴とする浴室用カウンター。
【請求項８】
請求項７記載の浴室用カウンターであって、ネジの締め込み部に対応するカウンター本体の内側下面にナット部が形成され、このナット部に上記の締め込み部からネジ込まれるネジの螺子孔が形成されていることを特徴とする浴室用カウンター。
【請求項９】
請求項１乃至６の何れかに記載の浴室用カウンターであって、本体部材と、カウンター本体とが、嵌め付け可能に形成されていることを特徴とする浴室用カウンター。
【発明の詳細な説明】
【技術分野】
【０００１】
本発明は、浴室用カウンターに関し、更に詳しくは入浴時に洗面器等を載置して使用する浴室用カウンターに関するものである。
【背景技術】
【０００２】
従来この種のカウンターとしては、例えば特許文献１に記載されているものがある。
この従来品は、支持具としてのブラケットで、カウンター本体を支持するよう形成され、ブラケットは開口部を窓状に有して略Ｄ字状に形成され、浴室壁面にネジ止めされるよう形成されている。
【０００３】
従来品は、上記の通り、支持具それ自体を浴室壁面にネジ止めし、この支持具にカウンター本体を被せて設置する構造であった。
従って従来、例えばカウンター本体の前垂れが浴室壁面の側に深く長く延ばされている場合（カウンター本体が深型の場合）は、支持具にカウンター本体をネジ止めする際、下方からカウンター本体の中を覗き込んで窮屈な姿勢で作業を行う必要があった。
その結果、従来品によると、カウンター本体が深型の場合は、簡単且つ楽に設置できない、という問題点があった。
【０００４】
また従来品は、上記の通り、支持具が略Ｄ字状に形成されているため、浴室壁面に給水管等が配管されていると、それを跨いで支持具を取り付けることができない、という問題点があった。
また従来品において、支持具の窓状の開口部に給水管等を通して配管する場合は、給水管等を開口部の側方からしか通すことができなかった。
従って従来品によると、例えば配管数が増加すると、作業に手間暇がかかり易く、また支持具を取り付けた後に配管作業をする場合は作業効率が悪くなるのを避けられなかった。
【０００５】
また従来品は、上記の通り、支持具が略Ｄ字状に形成されているため、支持具の開口部に給水管等を通して配管した場合は、例えばメンテナンス時やリフォーム時に、給水管等をそのままにして支持具だけを取り外す、ということができなかった。
従って従来品によると、配管までも取り外す必要があったから、撤去作業に手間暇やコストがかかる、という問題点があった。
【０００６】
また従来、この種の支持具は、通常、カウンター本体を支持する必要性から、浴室壁面の前方に、ある程度長く突き出されるものである。
従って従来品のように、支持具の全体を浴室壁面に取り付ける場合は、支持具を浴室壁面にネジ止めするとき、支持具の先端が邪魔になり易いものであった。それ故、従来品によると、浴室壁面に正対して楽な姿勢でネジ止めすることができ難い、という問題点があった。
【先行技術文献】
【特許文献】
【０００７】
【特許文献１】特開２００９−１００９０３号公報
【発明の概要】
【発明が解決しようとする課題】
【０００８】
本発明は、このような従来品の問題点に鑑み、提案されたものである。
従って本発明の解決しようとする技術的課題は、カウンター本体が深型の場合でも簡単且つ楽に設置でき、配管作業に左右されることなく設置でき、またメンテナンス時やリフォーム時等に配管を撤去することなく取り外すことができ、更には設置作業を浴室壁面の正面から楽にできるよう形成した浴室用カウンターを提供することにある。
【課題を解決するための手段】
【０００９】
本発明は、上記の課題を解決するため、次のような技術的手段を採る。
即ち本発明は、図１等に示されるように、浴室壁面１に固定される支持具２と、この支持具２に支持されて浴室壁面１に取り付けられるカウンター本体３とを備えてなる浴室用カウンターであって、上記の支持具２が、後側が開放された枠状の本体部材２ａと、上記の浴室壁面１に固定される壁取付け用部材２ｂとで形成され、この壁取付け用部材２ｂの上下方向に延びる差込みスペースＳに上方から差込まれる差込み片２ａ２が、上記の本体部材２ａの上枠２ａ１の開放状の後端部に垂下状に設けられていることを特徴とする（請求項１）。
【００１０】
本発明の場合、カウンター本体３は、前垂れ３１が短い浅型のものでも良く、またカウンター本体３の下方を覆う下カバー１０（図５等参照）を備えて形成されているのでも良い。本発明の場合、本体部材２ａは、後側が開放されて枠状に形成されているのであれば、その形状は任意であり、具体的には側面視で略コの字形や略フの字形に形成されることにより実現される。また本発明は、壁取付け用部材２ｂに本体部材２ａを差し込んで着脱可能に形成されているのであれば、差込みスペースＳや差込み片２ａ２の形状、個数等は自由である。
【００１１】
また本発明の場合、壁取付け用部材２ｂは、図１Ｂ、図３等に示されるように、浴室壁面１に当接する左右一対の板片状のベース部２ｂ１と、このベース部２ｂ１の間の凹溝状の段差部２ｂ２とで横断面が浅底の略皿形状に形成されているのが好ましい（請求項２）。
なぜならこれによると、差込みスペースＳを、壁面１との間で作ることができ、例えば金属板を折り曲げ加工することで壁取付け用部材２ｂを、簡単且つ低コストで形成できるからである。なお、ここで、横断面が浅底の略皿形状とは、壁取付け用部材２ｂは、ベース部２ｂ１から段差部２ｂ２の底までの間隔が短い、底が浅い状態に形成されている、ということを意味する。
【００１２】
また本発明は、図３等に示されるように、壁取付け用部材２ｂの段差部２ｂ２の下部に、本体部材２ａの下枠２ａ３（図２等参照）の開放状の後端部を接続するための接続部２ｂ２２が設けられているのが好ましい（請求項３）。
なぜならこれによると、本体部材２ａのガタつきをより防止でき、確実且つ強固に浴室壁面１に取り付けることができるからである。またこの場合は、本体部材２ａの下枠２ａ３を固定するために、あらためて浴室壁面１にネジ孔をあけたり、接続用の部品を取り付ける必要がないからである。従ってこれによると、カウンターを取り外す場合にも浴室壁面１の螺子止め部からの漏水リスクを回避でき、また固定作業の手間暇やコストを軽減できるものである。なお、ここで接続部２ｂ２２としては、例えばネジ孔や、その他例えばバネ圧等を利用した圧着部材等がある。
【００１３】
而してこの場合本発明は、接続部２ｂ２２に、本体部材２ａの下枠２ａ３の開放状の後端部が嵌め付け可能に形成されているのが好ましい（請求項４）。
なぜならこれによると、螺子締め等の煩わしい作業を伴うことなく、迅速且つ楽に本体部材２ａを壁取付け用部材２ｂに固定できるからである。
【００１４】
この場合、嵌め付け構造は任意であるが、例えば図９等に示されるように、本体部材２ａの下枠２ａ３の開放状の後端部に、壁取付け用部材２ｂの段差部２ｂ２と対向する鍔状の嵌め込み片１５が設けられ、この嵌め込み片１５を上方から嵌め込むための隙間１６を段差部２ｂ２の前面と形作るよう、接続部２ｂ２２が立ち上げ片状に形成され、この接続部２ｂ２２が、本体部材２ａの上記後端部の直近を両側から挟む状態に左右一対形成されていると共に、嵌め込み片１５が上記の隙間１６に嵌め込まれると、この嵌め込み片１５の抜脱を防止する嵌合手段１７を備えて形成されているのが好ましい（請求項５）。
なぜならこれによると、左右一対の接続部２ｂ２２と、嵌合手段１７によって、嵌め込み片１５の上下、左右への移動を防止でき、下枠２ａ３を壁取付け用部材２ｂにしっかりと固定できるからである。
【００１５】
またこの本発明の場合は、接続部２ｂ２２に、嵌め込み片１５との嵌合状態を解除するのに使用する手指操作部１９が形成されているのが好ましい（請求項６）。
なぜならこれによると、手指操作部１９を利用して嵌め込み片１５の嵌合状態の解除操作を容易にできるからである。ここで、手指操作部１９とは、摘んだり、指先を掛けたり、或いは把持する箇所を意味し、具体的には摘みや指掛かり可能な板片や孔、或いは把手等に形成されることで実現される。
【００１６】
また本発明は、図１等に示されるように、カウンター本体３を受ける本体部材２ａの上枠２ａ１に、この上枠２ａ１とカウンター本体３とを連結するためのネジ８の締め込み部９が、本体部材２ａの前側上方にネジ８を上向きに傾斜させてネジ込み可能に形成されているのが好ましい（請求項７）。
なぜならこれによると、例えばカウンター本体３が深型の場合でも、中を覗き込むような無理な姿勢を強いられることなく、また前垂れ３１の下端より前方の位置でも、本体部材２ａとカウンター本体３とを楽な姿勢でネジ止めできるからである（カウンター本体３が深型の場合は、垂直ラインＬ（図８参照）より前側の位置は、通常、ドライバーを真上に向けて楽な姿勢でネジ８を締めることができない、という不便がある）。
【００１７】
またこの場合、本発明は、ネジ８の締め込み部９に対応するカウンター本体３の内側下面にナット部３ａが形成され、このナット部３ａに上記の締め込み部９からネジ込まれるネジ８の螺子孔３ａ１が形成されているのが好ましい（請求項８）。
なぜならこれによると、ネジ８のネジ込み操作を、楽に且つ円滑にできるからである。
【００１８】
また本発明は、図１５、図１６等に示されるように、本体部材２ａと、カウンター本体３とが、嵌め付け可能に形成されているのが好ましい（請求項９）。
なぜならこれによると、カウンター本体３に螺子止め用の厚肉部を形成する必要がなく、成形歪み等の外観不良を低減できるからである。またこれによると、螺子を一掃でき、工具なしで、簡単、迅速に本体部材２ａとカウンター本体３とを固定でき、省施工、省コスト効果を得られるからである。またこれによると、例えば本体部材２ａを壁に固定してから、この本体部材２ａにカウンター本体３を嵌め付けることができ、配管を交わし易く、施工し易くなるからである。なお、この本発明の場合、嵌め付け構造は、本体部材２ａとカウンター本体３の対応する位置に、一方に嵌合用の雄部を、他方に嵌合用の雌部を形成することで実現される。
【発明の効果】
【００１９】
本発明は、このように形成されているから、カウンター本体の内側下面に支持具の本体部材を取り付けてから、壁取付け用部材の差込みスペースに差し込み、カウンター本体を浴室壁面に取り付けることができる。
従ってこれによると、カウンター本体の前垂れが深型の場合でも、作業者に無理な姿勢を強いることなく、簡単且つ楽に設置できる。
【００２０】
また本発明は、上記の通り、支持具の本体部材が、後側が開放された枠状に形成されているから、支持具の空間部に給水管等を配管する場合、左右側からだけではなく、後側からも給水管等を空間部に差し入れて配管できる。
従ってこれによると、支持具の空間部を利用して配管できるだけではなく、配管作業を、簡単化、迅速化できる。
【００２１】
また本発明は、上記の通り、壁取付け用部材に本体部材を差し込んで支持具を浴室壁面に取り付けるものである。従って取り外すときは、本体部材を壁取付け用部材から抜き取ることで済むから、これによると、施工ミス等により、支持具を取り外す必要が生じたときでも、漏水の危険が最も起き易い配管自体には手を付けることなく、作業を行うことができる。
【００２２】
また本発明は、浴室壁面に既に配管されている場合でも、例えば、配管と浴室壁面との間の隙間に差込み片を差し込んで、その下方の壁取付け用部材に本体部材を取り付けることにより、配管を跨いで支持具を浴室壁面に取り付けることができる。また本発明は、同様の理由から、メンテナンス時やリフォーム時は、配管を撤去することなく、支持具を解体してカウンター本体を取り外すことができる。
従って本発明によると、配管作業が済んだ後でも設置でき、またメンテナンス時やリフォーム時は配管に影響を与えることなく撤去できる。
【図面の簡単な説明】
【００２３】
【図１】本発明のカウンターの好適な一実施形態を示し、Ａは要部縦断面図、Ｂは支持具の斜視図である。
【図２】支持具の本体部材の斜視図である。
【図３】支持具の壁取付け用部材の斜視図である。
【図４】カウンター本体の斜視図である。
【図５】同上カウンターを下方から見たときの要部分解斜視図である。
【図６】同上カウンターを下方から見たときの要部斜視図である。
【図７】同上カウンターの要部縦断面図である。
【図８】カウンター本体の要部縦断面図である。
【図９】支持具の他の実施形態を示す斜視図である。
【図１０】図９の引き出し線Ａの位置の要部斜視図である。
【図１１】図９の支持具の斜視図である。
【図１２】同上支持具の要部斜視図である。
【図１３】同上支持具の側面図である。
【図１４】同上支持具の要部側面図である。
【図１５】カウンター本体と本体部材との他の取り付け例を示す、下方から見た要部斜視図である。
【図１６】図１５のＸＶＩ−ＸＶＩ線における断面図である。
【図１７】図１５の実施形態のカウンター本体の要部側面図である。
【図１８】図１５の実施形態のカウンター本体の要部底面図である。
【図１９】図１５の実施形態の本体部材の要部斜視図である。
【発明を実施するための形態】
【００２４】
以下、本発明を実施するための好適な一実施形態を添付図面に従って説明する。
本発明の浴室用カウンターは、図１等に示されるように、浴室壁面１に固定される支持具２と、この支持具２に支持されて浴室壁面１に取り付けられるカウンター本体３とを備えて形成されている。
【００２５】
上記の支持具２は、後側が開放された枠状の本体部材２ａと、上記の浴室壁面１に固定されてこの壁面１との間に上下方向に延びる差込みスペースＳを作る壁取付け用部材２ｂとで形成されている。本体部材２ａは、この実施形態では側面視で略コの字形に形成されている。なお、この支持具２は、図５に示されるように、この実施形態ではカウンター本体３の横方向の２ヶ所を支持可能に、２個備えて形成されている。
【００２６】
上記の本体部材２ａは、金属材で形成され、左右側と後側が開口され、給水管４等を通すための空間部５を備えて形成されている。またこの本体部材２ａは、その上枠２ａ１の開放状の後端部に、上記の差込みスペースＳに上方から差込み、本体部材２ａを壁取付け用部材２ｂに取り付けるための差込み片２ａ２が垂下状に形成されている。この実施形態の場合、差込み片２ａ２は、その厚みが差込みスペースＳの前後方向の間隔と略同じ長さに選定されて舌片状に形成され、差込みスペースＳにガタつくことなく差込み可能に形成されている。
【００２７】
また上記の壁取付け用部材２ｂは、金属板が折り曲げられ、図１Ｂ、図３等に示されるように、浴室壁面１に当接する左右一対の板片状のベース部２ｂ１と、このベース部２ｂ１の間の凹溝状の段差部２ｂ２とで横断面が浅底の略皿形状に形成されている。従って差込みスペースＳは、この実施形態では壁面１との間に薄い板状の空間として形作られ、壁取付け用部材２ｂが浴室壁面１に取り付けられたときは、壁取付け用部材２ｂの上下方向に開口するよう形成されている。
【００２８】
また上記のベース部２ｂ１には、螺子６（図１Ａ参照）の止め付け孔２ｂ１１が、縦方向に一定の間隔をあけて複数形成されている。また図３に示されるように、段差部２ｂ２の下部には、本体部材２ａの下枠２ａ３の開放状の後端部を接続するための接続部２ｂ２２が形成されている。この接続部２ｂ２２は、この実施形態では複数のネジ孔で形成されている。また下枠２ａ３の後端部には、図１Ｂ、図２に示されるように、ネジ孔７ａを有するフランジ７が、壁取付け用部材２ｂの段差部２ｂ２と対向するよう、垂直状に形成されている。従って下枠２ａ３は、上記のネジ孔７ａと接続部２ｂ２２としてのネジ孔とが合わされるように、フランジ７が段差部２ｂ２に突き当てられてネジ止めされるものである。
【００２９】
また本発明は、図１、図２等に示されるように、カウンター本体３を受ける本体部材２ａの上枠２ａ１に、この上枠２ａ１とカウンター本体３とを連結するためのネジ８の締め込み部９が、本体部材２ａの前側上方にネジ８を上向きに傾斜させてネジ込み可能に形成されている。この締め込み部９は、具体的には、上枠２ａ１の上面板が側面視で山形に屈曲され、本体部材２ａの前側上方に上面が向けられている傾斜板９ａと、この傾斜板９ａの両側端に形成されている螺子挿通用の切り欠き９ｂとで形成されている。そして、図１Ａに示されるように、傾斜板９ａの下面に、ネジ８の頭部が当接するよう形成されている。
【００３０】
またネジ８の締め込み部９に対応するカウンター本体３の内側下面には、ナット部３ａ（図１Ａ等参照）が、例えば一体成形により形成されている。このナット部３ａには、上記の締め込み部９からネジ込まれるネジ８の螺子孔３ａ１（図８参照）が形成されている。この螺子孔３ａ１により、ネジ８を円滑且つ楽にネジ込むことができるものである。
【００３１】
なお、この実施形態の本発明では、ネジ８の締め込み部９が、全てネジ８を傾斜状に締め込み可能に形成されているが、本発明はこれに限定されるものではない。但し、この実施形態のように、カウンター本体３が深型の場合は、螺子止め作業が楽になるよう、カウンター本体３の前垂れ３１の下端を通る垂直ラインＬ（図８参照）と略同じ位置か、このラインＬより、カウンター本体３の前側の位置には、少なくとも上例のような形式の締め込み部９が形成されているのが良い。
【００３２】
またこの実施形態の本発明品は、図５、図６等に示されるように、カウンター本体３の下方を覆う下カバー１０を備えて形成されている。カウンター本体３の前垂れ３１は、深型のため、浴室壁面１の側に斜め下方に延ばされて型抜き勾配がつけられ、下カバー１０とは低い位置で接続可能に形成されている。
【００３３】
従ってこの本発明品では、カウンター本体３と下カバー１０との継ぎ目１１（図７参照）が下方になるため、継ぎ目１１が目立ち難くなる。それ故本発明品の場合は、意匠性が向上し、また継ぎ目１１の箇所の掃除の頻度を低減できるものである。
なお、この実施形態の本発明は、図７等に示されるように、下カバー１０の前端に化粧モール１２を挟み込み、この化粧モール１２で継ぎ目１１を装飾可能に形成されている。この場合は、化粧モール１２によってアクセントを付けることができるから、一層、意匠性に優れたカウンターを提供できる。また本発明は、例えば下カバー１０を半透明にし、カウンター内に防水対策を施した照明装置を設置すれば、カウンター下部の間接照明として意匠性などを更に向上できる。
【００３４】
また図５に示されるように、カウンター本体３の前垂れ３１と、下カバー１０の接続箇所には、リベット１３（図６参照）の差込み孔１３ａが対応位置に形成され、この差込み孔１３ａを介してリベット１３でカウンター本体３と下カバー１０とが接続可能に形成されている。このように、リベット１３で直接固定する場合は、他の接続部品を省略でき、またリベット１３の圧着力で接続箇所を密着でき、水密性の向上を図ることができる。
なお、図８に示されるように、カウンター本体３の内面には、補強用のリブ１４が適宜位置に傾斜状に形成され、前垂れ３１の箇所のリブ１４は、前垂れ３１の延長方向に延ばされて形成されている。
【００３５】
次に本発明品の設置作業の一例を説明する。
先ず、作業者は、浴室壁面１（図１Ａ参照）に壁取付け用部材２ｂをネジ止めする。次に作業者は、カウンター本体３の内側下面に、締め込み部９を利用して本体部材２ａを、ネジ８で止め付ける。
【００３６】
そして作業者は、本体部材２ａの空間部５に給水管４等を通して配管し、図１Ｂに示されるように、本体部材２ａの差込み片２ａ２を壁取付け用部材２ｂの差込みスペースＳに上方から差込み、壁取付け用部材２ｂにカウンター本体３を取り付ける。
【００３７】
次に作業者は、本体部材２ａの下枠２ａ３の後端部のフランジ７を、壁取付け用部材２ｂの段差部２ｂ２の下部にあてがい、接続部２ｂ２２（図３参照）としてのネジ孔を利用して壁取付け用部材２ｂに、正面側からネジ止めする。その後、作業者は、カウンター本体３と下カバー１０の差込み孔１３ａを合わせ、この差込み孔１３ａにリベット１３を押し込み、カウンター本体３に下カバー１０を取り付ける。
なお、解体作業は、上例と逆の手順で行えば良い。
【００３８】
以上の処において、上記の壁取付け用部材２ｂの形状は自由であり、壁取付け用部材２ｂは、例えば横断面が横長の長方形状（口状）の差込みスペースＳを有して形成されているのでも良い。また差込みスペースＳは、壁取付け用部材２ｂの上側に、上面開口状態で所定の深さだけ、形成されているのでも良い。またネジ８の締め込み部９は、上枠２ａ１に、例えばネジ込み孔が傾斜状に形成されることで実現されるのでも良く、上例に限定されるものではない。
【００３９】
また本発明の場合、上記の接続部２ｂ２２は、ネジ孔に代え、本体部材２ａの下枠２ａ３の開放状の後端部が嵌め付け可能に形成されているのでも良い。嵌め付け構造としては、例えば凹部や孔を形成した接続部２ｂ２２に、下枠２ａ３の後端部を嵌め付けたり、或いは図９〜図１４に示されるような構造がある。
【００４０】
図９等に示される実施形態の場合は、本体部材２ａの下枠２ａ３の開放状の後端部に、壁取付け用部材２ｂの段差部２ｂ２と対向する鍔状の嵌め込み片１５が設けられ、この嵌め込み片１５を上方から嵌め込むための隙間１６を段差部２ｂ２の前面と形作るよう、接続部２ｂ２２が立ち上げ片状に形成され、この接続部２ｂ２２が、本体部材２ａの上記後端部の直近を両側から挟む状態に左右一対形成されていると共に、嵌め込み片１５が上記の隙間１６に嵌め込まれると、この嵌め込み片１５の抜脱を防止する嵌合手段１７を備えて形成されている。
【００４１】
鍔状の嵌め込み片１５は、この実施形態では後端部の両側と上側に伸ばされてプレート状に形成されている。またこの嵌め込み片１５の下端１５ａは、隙間１６に差し込み易くなるよう、図１０等に示されるように、前側が面取り状に形成され、傾斜面状に形成されている。
【００４２】
また接続部２ｂ２２は、この実施形態では復元力を有する金属板で形成されている。また嵌合手段１７は、接続部２ｂ２２の上端が後方に屈曲されることにより、鉤形状の箇所として形成されている。そして、この嵌合手段１７としての鉤形状の箇所の後端と対応する嵌め込み片１５の位置に、この鉤形状の箇所が嵌まり込む嵌合孔１８が、貫通孔状に形成されている。
【００４３】
またこの本発明の場合は、接続部２ｂ２２に、嵌め込み片１５との嵌合状態を解除するのに使用する手指操作部１９が形成されている。この手指操作部１９は、この実施形態では図１２等に示されるように、接続部２ｂ２２の上端の前側に、前方に上向き状に突き出された板片で形成されている。
【００４４】
次にこの実施形態に係る本発明品の設置作業の一例を説明する。
先ず作業者は、図１に示される本発明品の場合と同様、浴室壁面１（図１Ａ参照）に壁取付け用部材２ｂをネジ止めし、カウンター本体３に本体部材２ａをネジ止めした後、図９に示されるように、本体部材２ａの差込み片２ａ２を壁取付け用部材２ｂの差込みスペースＳに、また嵌め込み片１５を隙間１６に上方から嵌め込み、本体部材２ａを壁取付け用部材２ｂに取り付ける（図１１参照）。
【００４５】
而して、嵌め込み片１５が隙間１６に上方から嵌め込まれると、嵌合手段１７としての鉤形状の箇所の後端に、先ず嵌め込み片１５の下端１５ａが接触する。この場合、嵌め込み片１５の下端１５ａは、上記の通り、傾斜面状に形成されているため、嵌め込み片１５が嵌め込まれるのに連れ、接続部２ｂ２２は、その上部が徐々に前側に押され、反り返るように引き起こされる。
【００４６】
そして嵌め込み片１５が、隙間１６に完全に嵌め込まれると、図１１、図１２等に示されるように、嵌合手段１７としての鉤形状の箇所の後端が、嵌め込み片１５の嵌合孔１８に嵌合し、嵌め込み片１５の下端１５ａが、接続部２ｂ２２の水平状の箇所２０に支持される。また下枠２ａ３は、後端部の直近の両側が左右の接続部２ｂ２２で挟まれる。これにより、下枠２ａ３は、上下移動、及び横移動が制止され、壁取付け用部材２ｂにピタッと固定される。
【００４７】
なお、本体部材２ａを壁取付け用部材２ｂから取り外す場合は、先ず作業者は、手指操作部１９を摘んで手前に引き、接続部２ｂ２２を引き起こして嵌合手段１７としての鉤形状の箇所と嵌合孔１８との嵌合を解く。そして次に、本体部材２ａを持ち上げ、差込み片２ａ２と嵌め込み片１５の係合を解く。これにより本体部材２ａの取り外しが可能になる。
【００４８】
また本発明は、図１５、図１６等に示されるように、本体部材２ａとカウンター本体３とが、嵌め付け可能に形成されているのでも良い。
【００４９】
この実施形態では、図１８に示されるように、リブ１４で補強されているカウンター本体３の下面に、本体部材２ａの嵌合スペース２１が形成されている。そして、この嵌合スペース２１の両側のリブ１４に、本体部材２ａを固定するための断面Ｌ字形の鉤爪２２が、一定の間隔をあけて、且つ嵌合スペース２１側に爪先を突き出して複数形成されている。
【００５０】
また本体部材２ａは、図１９に示されるように、鉤爪２２が嵌合する凹段差部２３が、両側縁に切り欠き状に形成されている。凹段差部２３は、この実施形態では鉤爪２２に対応して両側縁に３個づつ形成されている。
【００５１】
而して作業者は、先ず本体部材２ａを上記の嵌合スペース２１にあてがい、次にこの本体部材２ａを鉤爪２２の復元力に抗して押し込む。これにより、鉤爪２２は、一旦、外側に反らされた後、復元して凹段差部２３に嵌合し、本体部材２ａがカウンター本体３に嵌め付けられる。作業者は、その後、上例と同様、壁取付け用部材２ｂに本体部材２ａを嵌め込み、カウンター本体３を壁面１に取り付ける。
【００５２】
なお、本発明の場合、本体部材２ａとカウンター本体３との嵌め付け手順は、上例に限定されるものではない。即ち、先ず本体部材２ａを壁取付け用部材２ｂを介して壁面１に固定し、次にこの本体部材２ａにカウンター本体３を嵌め付けるのでも良い。
【符号の説明】
【００５３】
１      浴室壁面
２      支持具
２ａ    本体部材
２ａ１  上枠
２ａ２  差込み片
２ｂ    壁取付け用部材
３      カウンター本体
Ｓ      差込みスペース
【図１】
0005504918.tif 000002
【図２】
0005504918.tif 000003
【図３】
0005504918.tif 000004
【図４】
0005504918.tif 000005
【図５】
0005504918.tif 000006
【図６】
0005504918.tif 000007
【図７】
0005504918.tif 000008
【図８】
0005504918.tif 000009
【図９】
0005504918.tif 000010
【図１０】
0005504918.tif 000011
【図１１】
0005504918.tif 000012
【図１２】
0005504918.tif 000013
【図１３】
0005504918.tif 000014
【図１４】
0005504918.tif 000015
【図１５】
0005504918.tif 000016
【図１６】
0005504918.tif 000017
【図１７】
0005504918.tif 000018
【図１８】
0005504918.tif 000019
【図１９】
0005504918.tif 000020